(57)【要約】【課題】吸収性物品の形状を着用者の体の形状に追従させ、吸収性物品の装着感を向上させる。【解決手段】吸収性物品１は、吸収体３０とヒップフラップ部５０とを有する。吸収体３０は、股下領域ＣＡ、及び股下領域より後方の後側領域ＲＡに配置されている。ヒップフラップ部５０は、後側領域ＲＡにおいて、股下領域ＣＡでの吸収体３０の外側縁よりも幅方向Ｗの外側へ延出している。ヒップフラップ部５０は、表面シート１０と、表面シート１０よりも非肌当接面側に設けられた多数の粒状体を含む粒状層６０と、を有する。【選択図】図１
0003216871.tif 000002
【実用新案登録請求の範囲】
【請求項１】
股下領域、及び前記股下領域より後方の後側領域に配置された吸収体と、
前記後側領域において、前記股下領域での前記吸収体の外側縁よりも幅方向の外側へ延出したヒップフラップ部と、を有し、
前記ヒップフラップ部は、表面シートと、前記表面シートよりも非肌当接面側に設けられた多数の粒状体を含む粒状層と、を有する、吸収性物品。
【請求項２】
前記粒状層は、平面視で前記ヒップフラップ部の幅方向の外側へ向かうにつれて先細りした凸部を有する、請求項１に記載の吸収性物品。
【請求項３】
前記粒状層を、前記ヒップフラップ部で前記幅方向の外側に位置する第１の区画と、前記第１の区画に対して前記幅方向の内側に隣接する第２の区画と、に少なくとも部分的に仕切る仕切部を有する、請求項１又は２に記載の吸収性物品。
【請求項４】
前記仕切部は、前記粒状体が前記第１の区画と前記第２の区画との間を移動可能なように、前記第１の区画と前記第２の区画とを部分的に仕切る、請求項３に記載の吸収性物品。
【請求項５】
前記ヒップフラップ部において前記粒状層よりも肌当接面側には、前記表面シートのみが設けられている、請求項１から４のいずれか１項に記載の吸収性物品。
【請求項６】
前記粒状体は樹脂発泡ビーズ粒である、請求項１から５のいずれか１項に記載の吸収性物品。
【請求項７】
前記粒状層は吸水性を有する繊維を含む、請求項１から６のいずれか１項に記載の吸収性物品。
【請求項８】
股下領域、及び前記股下領域より後方の後側領域に配置された吸収体と、
前記後側領域において、前記股下領域での前記吸収体の外側縁よりも幅方向の外側へ延出したヒップフラップ部と、を有し、
前記ヒップフラップ部は、表面シートと、前記表面シートよりも非肌当接面側に設けられ、前記ヒップフラップ部に対する圧力に応じて着用者の体の形状に追従するように変形する層と、を有する、吸収性物品。
【考案の詳細な説明】
【技術分野】
【０００１】
本考案は、生理用ナプキン等の吸収性物品に関する。
【背景技術】
【０００２】
一般に、着用者の肌に当接する液透過性の表面シートと液不透過性の裏面シートとの間に吸収体が設けられている吸収性物品が知られている。吸収性物品のうち特に生理用ナプキンは下着により着用者の体の方に押し当てられ、着用者の体にフィットされるようにして使用される。
【０００３】
しかしながら、生理用ナプキンの使用時において、例えば下着のサイズや下着の弾性部材の状態、着用者の体勢（例えば起立時や着席時、就寝時の姿勢）によって、生理用ナプキンが着用者の体型にフィットしない場合がある。そして、例えば、着用者にとって下着のサイズが大きすぎる場合等では、排泄口と生理用ナプキンとの間に隙間が空いてしまい、体液が漏れやすくなってしまったり、着用者は体液が漏れてしまうことの不安感を感じてしまったりする。一方、例えば、着用者にとって下着のサイズが小さすぎる場合等では、生理用ナプキンと体とが密着しすぎてしまい、心地よい装着感が損なわれ、着用者は吸収性物品の着用時に違和感を覚えてしまう。
【０００４】
ここで、特許文献１には、着用者の体に対する圧力を分散させる吸収性物品が開示されている。具体的には、特許文献１に記載の吸収性物品は、吸収性ポリマーを含む２層の吸収体コアを有し、２層の吸収体コアの間にビーズ粒等からなる移動補助材が設けられている。特許文献１に記載の吸収性物品の吸収性ポリマーにおいて体液等が吸収されると、２層の吸収体コア同士が向かい合う面に、粘性及び弾性を有するポリマー層が形成される。そして、形成されたポリマー層及びビーズ粒等からなる移動補助材により、２層の吸収体コア同士はそれぞれが向かい合う面に沿ってズレやすくなり、着用者の体に対する圧力を分散させることができる。
【先行技術文献】
【特許文献】
【０００５】
【特許文献１】特開２００８−１８３１５９号公報
【考案の概要】
【考案が解決しようとする課題】
【０００６】
特許文献１は、２層の吸収体コア同士が向かい合う領域における圧力の分散を考慮している。しかしながら、特許文献１は、吸収体コアが設けられている領域以外の領域については、何ら考慮していない。特に、特許文献１では、そのような領域における吸収性物品の装着感（フィット性）について考慮されていない。
【０００７】
そこで、本考案は、上述の課題に鑑みてなされたものであり、吸収性物品の形状を着用者の体の形状に追従させ、吸収性物品の装着感を向上させることを目的とする。
【課題を解決するための手段】
【０００８】
本開示に係る吸収性物品は、吸収体とヒップフラップ部とを有する。吸収体は、股下領域、及び股下領域より後方の後側領域に配置されている。ヒップフラップ部は、後側領域において、股下領域での吸収体の外側縁よりも幅方向の外側へ延出している。ヒップフラップ部は、表面シートと、表面シートよりも非肌当接面側に設けられた多数の粒状体を含む粒状層と、を有する。
【０００９】
別の態様に係る吸収性物品は、吸収体とヒップフラップ部とを有する。吸収体は、股下領域、及び股下領域より後方の後側領域に配置されている。ヒップフラップ部は、後側領域において、股下領域での吸収体の外側縁よりも幅方向の外側へ延出している。ヒップフラップ部は、表面シートと、表面シートよりも非肌当接面側に設けられ、ヒップフラップ部に対する圧力に応じて着用者の体の形状に追従するように変形する層と、を有する。
【考案の効果】
【００１０】
本実施形態における吸収性物品によれば、吸収性物品の形状を着用者の体の形状に追従させ、吸収性物品の装着感を向上できる。
【図面の簡単な説明】
【００１１】
【図１】一実施形態に係る吸収性物品の肌当接面側から見た平面図である。
【図２】図１に示すＡ２−Ａ２断面に沿った吸収性物品の模式断面図である。
【図３】図１に示すＡ３−Ａ３断面に沿った吸収性物品の模式断面図である。
【図４】平面視における粒状層の移動の様子を模式的に示す図である。
【図５】吸収性物品を着用した状態での粒状層の移動の様子を模式的に示す断面図である。
【考案を実施するための形態】
【００１２】
以下、図面を参照して、実施形態に係る吸収性物品ついて説明する。本考案の吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００１３】
なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１４】
（１）吸収性物品の全体構成
図１は、一実施形態に係る吸収性物品の肌当接面側から見た平面図である。図２は、図１に示すＡ２−Ａ２断面に沿った吸収性物品の模式断面図である。図３は、図１に示すＡ３−Ａ３断面に沿った吸収性物品の模式断面図である。
【００１５】
吸収性物品１は、着用者の排泄口が対向する領域を含む股下領域ＣＡと、股下領域ＣＡよりも着用者の前側に位置する前側領域ＦＡと、股下領域ＣＡよりも着用者の後側に位置する後側領域ＲＡと、を有する。吸収性物品１は、着用者の前側と後側との間を延びる長手方向Ｌと、長手方向Ｌに直交する幅方向Ｗと、を有する。また、吸収性物品１は、股下領域ＣＡに設けられたウイング部４０と、後側領域ＲＡに設けられたヒップフラップ部５０と、を有する。
【００１６】
吸収性物品１は、表面シート１０、裏面シート２０及び吸収体３０を有する。表面シート１０は、１枚又は複数枚のシートから形成されていてよい。表面シート１０は、吸収体３０が配置された領域とヒップフラップ部５０の領域とに跨がって設けられていてよい。なお、表面シート１０は、吸収体３０が配置された領域と、ヒップフラップ部５０の領域とで、互いに異なるシートから形成されていてもよい。
【００１７】
表面シート１０の、少なくとも吸収体３０の表面を覆う部分は、体液等の液体を透過する液透過性のシートから形成されていてよい。液透過性のシートは、不織布、織布、有孔プラスチックシート、メッシュシート等の材料から形成されていてよい。
【００１８】
裏面シート２０は、体液等の液体を透過しない液不透過性のシートであってよい。裏面シート２０は、平面視において表面シート１０と重なるような大きさを有していてよい。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシート等を用いることができる。ここで、吸収性物品１の平面視とは、厚み方向Ｔにおいて離れた位置から展開状態の吸収性物品１を視認したものである。また、吸収性物品１の展開状態とは、図１に示す状態であり、吸収性物品が折り畳まれていない状態である。
【００１９】
吸収体３０は、少なくとも股下領域ＣＡ及び後側領域ＲＡに配置されている。吸収体３０は、表面シート１０と裏面シート２０との間に設けられる。本実施形態では、吸収体３０は、後側領域ＲＡにおいて、ヒップフラップ部５０よりも幅方向Ｗの内側（中央側）に配置されている。この代わりに、吸収体３０は、後側領域ＲＡにおいて、ヒップフラップ部５０の領域へ延びていてもよい。
【００２０】
吸収体３０は、体液を吸収可能な吸収材料によって形成される。吸収材料は、例えば、親水性繊維、パルプ、高吸水性高分子（ＳＡＰ）、トウのような繊維集合体のうちの少なくとも１つを含んでいてよい。例えば、吸収体３０は、複数層のトウからなる繊維集合体と、ＳＡＰと、を含んでいてよい。
【００２１】
吸収体３０には、圧搾部３２が形成されていてよい。圧搾部３２は、吸収体３０と表面シート１０の両方を圧搾した部分であってよい。一例として、圧搾部３２は、吸収体３０上で、環状に形成されていてよい。
【００２２】
ウイング部４０は、股下領域ＣＡにおいて吸収体３０よりも幅方向Ｗの外側へ延びた部分である。ウイング部４０は、着用者の肌とは反対側（非肌当接面側）に折り返し可能に構成されている。ウイング部４０は、着用時に下着のクロッチ部の非肌当接面側に折り返される。
【００２３】
ヒップフラップ部５０は、後側領域ＲＡにおいて、股下領域ＣＡでの吸収体３０の外側縁３４よりも幅方向Ｗの外側へ延出した部分である。ヒップフラップ部５０は、下着の肌当接面側に配置され、着用者の肌に接するように構成される。
【００２４】
ヒップフラップ部５０は、表面シート１０と、表面シート１０よりも非肌当接面側に設けられた粒状層６０，６２と、を有する。好ましくは、吸収性物品１は、この粒状層を、ヒップフラップ部５０で幅方向Ｗの外側に位置する第１の区画６０と、第１の区画６０に対して幅方向Ｗの内側に隣接する第２の区画６２と、に少なくとも部分的に仕切る仕切部６６を有する。第１の区画６０は、平面視で吸収体３０と重複しない領域に設けられていてよい。
【００２５】
粒状層６０，６２は、表面シート１０と裏面シート２０との間に設けられていてよい。好ましくは、ヒップフラップ部５０の領域においては、粒状層よりも肌当接面側には、表面シート１０のみが設けられている。より好ましくは、第１の区画６０の肌当接面側には、表面シート１０のみが設けられている。
【００２６】
粒状層６０，６２は、多数の粒状体を含む。また、粒状層６０，６２は、多数の粒状体を包む包装体を備えていてよい。粒状体は、例えば、ポリスチレン発泡ビーズやポリオレフィン発泡ビーズのような疎水性の樹脂発泡ビーズであってよい。樹脂発泡ビーズの粒径は直径１〜５ｍｍ程度であってよい。粒状体の嵩密度は０．０１〜０．１ｇ／ｃｍ３であってよい。樹脂発泡ビーズは、一般にクッション又は枕や布団等の寝具で用いられるものであってもよい。粒状層６０，６２は、例えば親水性繊維、パルプ又はＳＡＰ等の吸水性を有する繊維を含み、吸収性を有する繊維と粒状体（樹脂発泡ビーズ）とが互いに接合されていないように構成してもよい。
【００２７】
仕切部６６は、多数の粒状体を包む１つの包装体の肌面側の一面と非肌面側の一面とを互いに接合、例えば超音波接合することによって形成することができる。仕切部６６は、第１の区画６０と第２の区画６２とを完全に仕切っていてよい。この代わりに、図１及び図２に示すように、仕切部６６は、粒状体が第１の区画６０と第２の区画６２との間を移動可能なように、第１の区画６０と第２の区画６２とを部分的に仕切っていてもよい。
【００２８】
本実施形態では、仕切部６６は、ヒップフラップ部５０と、ヒップフラップ部５０よりも幅方向Ｗの中央側の領域とを区切るように、長手方向Ｌに沿って形成されている。この代わりに、仕切部６６は、ヒップフラップ部５０の領域内に形成されていてもよい。また、仕切部６６は、ヒップフラップ部５０よりも幅方向Ｗの中央側の領域内に形成されていてもよい。さらに、ヒップフラップ部５０は、長手方向Ｌから傾斜した方向に沿って形成されていてもよい。
【００２９】
本実施形態では、第１の区画６０は、ヒップフラップ部５０の領域内に配置されている。第１の区画６０は、少なくともヒップフラップ部の幅方向Ｗの外側の領域に配置されている。好ましくは、第１の区画６０は、ヒップフラップ部５０の幅方向Ｗの中央よりも中央側へ延びていてよい。また、第１の区画６０は、ヒップフラップ部５０の領域全域にわたっていてもよい。これに代えて、第１の区画６０は、ヒップフラップ部５０の領域外まで延びていてもよい。
【００３０】
好ましくは、第１の区画６０は、平面視でヒップフラップ部５０の幅方向Ｗの外側へ向かうにつれて先細りした凸部６８を有している。言い換えると、幅方向Ｗの外側に向かうにつれて、凸部６８の長手方向Ｌの幅は狭くなる。第１の区画６０の凸部６８の幅方向Ｗの先端は、丸みを帯びた形状を有することが好ましい。
【００３１】
本実施形態では、第２の区画６２は、吸収体３０の幅方向Ｗの外側縁３４に沿って、前側領域ＦＡから後側領域ＲＡへ長手方向Ｌに延びている。この代わりに、第２の区画６２は、後側領域ＲＡのみに形成されていてもよい。本実施形態では、第２の区画６２は、ヒップフラップ部５０の領域外に配置されている。この代わりに、第２の区画６２の一部が、ヒップフラップ部５０の領域内に延びていてもよい。好ましくは、第２の区画６２は、平面視で吸収体３０と重複した領域に配置されている。
【００３２】
図４は、平面視における第１の区画６０内の粒状体の移動の様子を模式的に示している。図４に示す状態は、第１の区画６０に対して圧力Ｆが掛かっている状態である。図４に示すように、粒状体は、圧力の高い部分から他の圧力の低い部分へ向けて移動する。これにより、第１の区画６０の中央領域に圧力がかかった場合、粒状体は、第１の区画６０の隅へ集まる。このようにして、着用状態において、ヒップフラップ部５０の粒状層６０は、臀部の形状に合わせて変化する。
【００３３】
図５は、吸収性物品１が着用者に着用された状態（以下、着用状態という。）の図１のＡ２−Ａ２線に沿った断面を示した断面図である。図１のＡ２−Ａ２線に相当する位置は、着用状態で、着用者の臀部に相当する。図５に示すように、着用状態では、粒状層６０，６２に対する圧力に応じて、粒状体は粒状層６０，６２内で移動する。このとき、粒状層内の一部の粒状体は、仕切部６６間の隙間を介して第１の区画６０と第２の区画６２との間で相互に移動可能であることが好ましい。ヒップフラップ部５０の中央領域に着用者の臀部から強い力が加えられたとき、粒状体は、ヒップフラップ部５０の外側に相当する粒状層の凸部６８に集まる。これにより、吸収性物品１の着用時に、ヒップフラップ部５０の外側の領域で粒状層６０の厚みが比較的大きくなり、ヒップフラップ部５０の外側の領域で吸収性物品１を着用者によりフィットさせることができる。
【００３４】
（２）作用効果
吸収性物品１は、下着等に装着された状態で使用され、着用時に下着によって着用者側に押し当てられる。吸収性物品１のヒップフラップ部５０は、着用者の臀部に対向して配置される領域であり、着用状態において着用者の体に接しやすく、着用者の体からの圧力を受けやすい部分である。
【００３５】
上記実施形態に係る吸収性物品１は、着用者から受ける圧力に応じて粒状層６０，６２の形が変化することによって、着用者の体にフィットする。特に、ヒップフラップ部５０に設けられた粒状層６０内の多数の粒状体が圧力の変化に応じて粒状層６０内で移動する。例えば、比較的高い圧力がかかった領域の粒状体は、比較的低い圧力を受けた領域に移動する（図４参照）。このように粒状体が粒状層６０内で移動することにより、比較的低い圧力を受けた領域に粒状体が移動し、この移動した粒状体によって着用者側に吸収性物品１を押し当てることができる。比較的低い圧力を受けた領域は、着用者の体に押し当てられ、着用者の体の形状に沿うように吸収性物品１の形状が変化し、着用者と吸収性物品１とが密着し易くなる。よって、着用者の体、特に臀部に対して吸収性物品１をフィットさせることができる。着用者の臀部に対して吸収性物品１がフィットするため、装着感を向上させることができる。
【００３６】
一実施形態によれば、粒状層６０は、平面視でヒップフラップ部５０の外側へ向かうにつれて先細りした凸部６８を有する。ヒップフラップ部５０の中央領域に着用者の臀部から強い力が加えられたとき、粒状体は、ヒップフラップ部５０の外側に相当する粒状層の凸部６８に集まる（図４及び図５参照）。これにより、吸収性物品１の着用時に、ヒップフラップ部５０の外側の領域で粒状層６０の厚みが比較的大きくなり、ヒップフラップ部５０の外側の領域で吸収性物品１を着用者によりフィットさせることができる。これにより、ヒップフラップ部５０からの体液の横漏れを抑制することができる。
【００３７】
一実施形態によれば、吸収性物品１は、粒状層を、ヒップフラップ部５０で幅方向Ｗの外側に位置する第１の区画６０と、第１の区画６０に対して幅方向Ｗの内側に隣接する第２の区画６２と、に少なくとも部分的に仕切る仕切部６６を有する。ヒップフラップ部５０では、使用者の肌（臀部）は、表面シート１０を介して粒状層に当たる。吸収性物品を着用した状態で、ヒップフラップ部５０には着用者の臀部からの力を強く受ける。そのため、第１の区画６０と第２の区画６２とを少なくとも部分的に仕切る仕切部６６がない場合、吸収性物品１の着用中に、粒状体の多くが、ヒップフラップ部５０の外側に位置する第１の区画６０から第２の区画６２へ移動する。これにより、ヒップフラップ部５０の外側に位置する第１の区画６０内の粒状体が不足し、ヒップフラップ部５０でのフィット感が低下するおそれがある。本実施形態では、仕切部６６によって第１の区画６０から第２の区画６２への粒状体の移動が抑制又は防止されるので、ヒップフラップ部５０でのフィット感の低下を防止することができる。
【００３８】
ヒップフラップ部５０の外側の第１の区画６０が完全に閉じられている場合、粒状体の移動範囲は第１の区画６０内に制限される。この場合、着用者の臀部からヒップフラップ部５０の第１の区画６０に強い力が加えられたとき、着用者の臀部に対向する部分に多くの粒状体が留まってしまうことがある。その結果、着用者は、臀部に違和感を覚える可能性がある。一実施形態によれば、仕切部６６は、粒状体が第１の区画６０と第２の区画６２との間を移動可能なように、第１の区画６０と第２の区画６２とを部分的に仕切る。これにより、一部の粒状体は、ヒップフラップ部５０の外側の第１の区画６０から第２の区画６２へ移動することができる。このように第１の区画６０内の粒状体の量が適切に調節されるため、着用者の臀部に対向する部分に多くの粒状体が留まることはなく、着用者の違和感を低減できる。なお、この場合であっても、第１の区画６０と第２の区画６２とを部分的に仕切る仕切部によって第１の区画６０から第２の区画６２への粒状体の移動を抑制することができるため、ヒップフラップ部５０の外側の第１の区画６０内の粒状体の不足を防止することができる。
【００３９】
一実施形態によれば、ヒップフラップ部５０において粒状層６０よりも肌当接面側には、表面シート１０のみが設けられている。ヒップフラップ部５０における粒状層６０の粒状体は、表面シート１０のみを介して着用者の体に当たることになる。これにより、ヒップフラップ部５０において高いフィット感が得られる。
【００４０】
一実施形態によれば、粒状体は樹脂発泡ビーズ粒である。粒状体が流動性の高い樹脂発泡ビーズ粒であるため、着用時の圧力の変化に応じて、吸収性物品が体の形状に追従しやすくなる。
【００４１】
一実施形態によれば、粒状層６０，６２は吸水性を有する繊維を含む。これにより、粒状層６０，６２においても体液の吸収が可能となる。よって、吸収体３０の幅方向Ｗの外側からの体液の漏れを防止することができる。
【００４２】
一実施形態によれば、ヒップフラップ部５０は、表面シート１０と、表面シート１０よりも非肌当接面側に設けられ、ヒップフラップ部５０に対する圧力に応じて着用者の体の形状に追従するように変形する層６０と、を有する。この層６０は、多数の粒状体を含む粒状層に限られず、例えば液体又はゲル状物質を含む層であってもよい。この場合であっても、ヒップフラップ部５０は圧力に応じて着用者の体の形状に追従するため、着用者の体にフィットし、ヒップフラップ部５０における装着感を向上させることができる。
【００４３】
上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。従って、本明細書の記載は、例示説明を目的とするものであり、本考案に対して何ら制限的な意味を有するものではない。
【符号の説明】
【００４４】
１      ：吸収性物品
１０    ：表面シート
２０    ：裏面シート
３０    ：吸収体
３２    ：圧搾部
４０    ：ウイング部
５０    ：ヒップフラップ部
６０    ：粒状層（第１の区画）
６２    ：粒状層（第２の区画）
６６    ：仕切部
ＣＡ    ：股下領域
ＦＡ    ：前側領域
ＲＡ    ：後側領域
Ｌ      ：長手方向
Ｗ      ：幅方向
【図１】
0003216871.tif 000003
【図２】
0003216871.tif 000004
【図３】
0003216871.tif 000005
【図４】
0003216871.tif 000006
【図５】
0003216871.tif 000007